【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
前記表示パルスの印加に先立って、セル数に対する前記点灯すべきセルの数の割合である表示率を検出し、
予め定められた表示率と複数種の表示パルス波形との対応付けに従って、当該複数種の表示パルス波形のうちの表示率の検出結果に該当する１つの表示パルス波形を選択し、
選択した表示パルス波形をもつパルスを前記表示パルスとしてセルに印加する
ことを特徴とするプラズマディスプレイパネルの駆動方法。
【請求項２】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
フレームを複数のサブフレームに変換し、
少なくとも１つのサブフレームについて、セル数に対する点灯すべきセルの数の割合である表示率を検出し、
予め定められた表示率に応じて複数種の表示パルス波形のうちの１つの表示パルス波形を選択し、
選択した表示パルス波形を少なくとも１つのサブフレームの表示パルスとして印加する
ことを特徴とするプラズマディスプレイパネルの駆動方法。
【請求項３】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
フレームを複数のサブフレームに変換し、
少なくとも１つのサブフレームについて、セル数に対する点灯すべきセルの数の割合である表示率を検出し、
前記少なくとも１つのサブフレームの表示率が予め定めた値以上の表示率であるときには、後縁の振幅が前縁の振幅より大きい第１の階段波形をもつパルスを少なくとも１つのサブフレームの表示パルスとして印加する
ことを特徴とするプラズマディスプレイパネルの駆動方法。
【請求項４】
前記少なくとも１つのサブフレームの表示率が予め定めた値未満の表示率であるときには、前縁の振幅が後縁の振幅より大きい第２の階段波形をもつパルスを少なくとも１つのサブフレームの表示パルスとして印加する、
請求項３記載のプラズマディスプレイパネルの駆動方法。
【請求項５】
前記第１の階段波形および第２の階段波形のそれぞれは２つのステップをもち、前記第１の階段波形の一方のステップの振幅が前記第２の階段波形の一方のステップの振幅と等しく、かつ前記第１の階段波形の他方のステップの振幅が前記第２の階段波形の他方のステップの振幅と等しい
請求項４記載のプラズマディスプレイパネルの駆動方法。
【請求項６】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
フレームを複数のサブフレームに変換し、
複数の前記サブフレームのそれぞれについて、セル数に対する点灯すべきセルの数の割合である表示率を検出し、
表示率が設定値未満であるサブフレームの表示には、矩形波形をもつパルスを前記表示パルスとして適用し、
表示率が前記設定値以上であるサブフレームの表示には、前縁と後縁との間で振幅が大きくなり、かつ最大振幅が前記矩形波形の振幅よりも大きい階段波形をもつパルスを前記表示パルスとして適用する
ことを特徴とするプラズマディスプレイパネルの駆動方法。
【請求項７】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
フレームを複数のサブフレームに変換し、
複数の前記サブフレームのそれぞれについて、セル数に対する点灯すべきセルの数の割合である表示率を検出し、
表示率が設定値未満であるサブフレームの表示には、矩形波形をもつパルスを前記表示パルスとして適用し、
表示率が前記設定値以上であるサブフレームの表示には、前縁と後縁との間で振幅が小さくなる階段波形をもつパルスを前記表示パルスとして適用する
ことを特徴とするプラズマディスプレイパネルの駆動方法。
【請求項８】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
フレームを複数のサブフレームに変換し、
複数の前記サブフレームのそれぞれについて、セル数に対する点灯すべきセルの数の割合である表示率を検出し、
表示率が設定値未満であるサブフレームの表示には、前縁と後縁との間で振幅が第１の値からそれよりも小さい第２の値に変わる階段波形をもつパルスを前記表示パルスとして適用し、
表示率が前記設定値以上であるサブフレームの表示には、振幅が前記第２の値よりも大きい矩形波形をもつパルスを前記表示パルスとして適用する
ことを特徴とするプラズマディスプレイパネルの駆動方法。
【請求項９】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
フレームを複数のサブフレームに変換し、
複数の前記サブフレームのそれぞれについて、セル数に対する点灯すべきセルの数の割合である表示率を検出し、
表示率が第１設定値未満であるサブフレームの表示には、前縁と後縁との間で振幅が第１の値からそれよりも小さい第２の値に変わる階段波形をもつパルスを前記表示パルスとして適用し、
表示率が前記第１設定値以上でかつ前記第１設定値よりも大きい第２設定値未満であるサブフレームの表示には、振幅が前記第２の値以上である矩形波形をもつパルスを前記表示パルスとして適用し、
表示率が前記第２設定値以上であるサブフレームの表示には、前縁と後縁との間で振幅が大きくなる第２の階段波形をもつパルスを前記表示パルスとして適用する
ことを特徴とするプラズマディスプレイパネルの駆動方法。
【請求項１０】
画面のうちの点灯すべきセルに他のセルよりも高い壁電圧を生じさせ、その後に前記点灯すべきセルのみで放電を生じさせる表示パルスを全てのセルに印加するプラズマディスプレイパネルの駆動方法であって、
フレームを複数のサブフレームに変換し、
複数の前記サブフレームのそれぞれについて、セル数に対する点灯すべきセルの数の割合である表示率を検出し、
予め定められた複数種の表示パルス波形のそれぞれと、表示率と、１回の放電における輝度と、１回の放電における消費電力との相互関係に従って、サブフレームごとに複数種の前記表示パルス波形のうちの１つを選択する波形選択における複数通りの組合せのそれぞれについて、サブフレームどうしの輝度比が設定比となりかつ１フレームの消費電力が設定値以下となるようにサブフレームごとに放電回数を求め、
求められた波形選択および放電回数の組合せのそれぞれについて１フレームの輝度を算出し、
１フレームの輝度が最も高い波形選択および放電回数の組合せに合致するように、各サブフレームの表示において、複数種の前記表示パルス波形のうちの１つの表示パルス波形をもつパルスを前記表示パルスとして該当回数だけセルに印加する
ことを特徴とするプラズマディスプレイパネルの駆動方法。
【請求項１１】
複数の前記サブフレームを２つの組に分け、一方の組に属するサブフレームについては前記波形選択を行い、他方の組に属するサブフレームについては表示パルス波形を固定とする
請求項１０記載のプラズマディスプレイパネルの駆動方法。
【手続補正２】
【補正対象書類名】明細書
【補正対象項目名】０００６
【補正方法】変更
【補正の内容】
【０００６】
矩形波状の表示パルスを印加する典型的な駆動方法では、輝度および発光効率の双方を向上させることができない。表示パルスの振幅を許容範囲内で大きくすることで表示放電の強度を大きくし、それによって発光輝度を高めることができる。しかし、発光輝度を高めようとすると消費電力が増大してしまい、発光効率が低下してしまう。この問題の解決に関して、前縁部の振幅が局部的に大きい階段波形の表示パルスを印加することが特開平１０−３３３６３５号公報に記載されている。
【手続補正３】
【補正対象書類名】図面
【補正対象項目名】図２
【補正方法】変更
【補正の内容】
【図２】
2004318078.tif 000001